(57)【要約】【課題】速やかにかつ安全に取付けと取外し可能なダウンライト支持装置を提供する。【解決手段】ランプハウジング４１と、少なくとも２つの弾性シート４２とを含む。ランプハウジング４１の底部に開口部と収容空間が設けられている。収容空間は発光素子の取付けに備える。ランプハウジング４１は開口部付近の周縁に環状フレーム４１３を形成し、弾性シート４２は弾性の金属シートを屈折して構成される。弾性シート４２の前段はランプハウジング４１の側壁に釣り合って固設し、各弾性シート４２の中段は環状フレーム４１３の周縁に向かって延在する。環状フレーム４１３の上側を天井４４付近部に備える収容孔４４１の底側によって圧迫された状態において、各弾性シート４２の後段を収容孔４４１の内壁面４４２に圧迫させる。【選択図】図８
0003160426.tif 000002
【実用新案登録請求の範囲】
【請求項１】
底部に設けられる開口部、発光素子の取付けるために内設された収容空間、及び、前記開口部付近の径方向に沿って延在し底部の周縁に形成される環状フレームを有するランプハウジングと、
弾性の金属シートを屈折して構成する少なくとも２つの弾性シートと、
を備え、
前記弾性シートの前段は前記ランプハウジングの側壁と釣り合って固設され、前記弾性シートの中段はそれぞれ環状フレームの周縁に延在し、かつ後尾部は延在して前記弾性シートの後段を構成し、前記弾性シートの中段、及び前記ランプハウジングの側壁は天井に穿鑿された収容孔をくぐらして前記天井の上側に収容され、前記環状フレームの上側が前記天井の底側に圧迫した状態において、各前記弾性シートの後段は前記収容孔の内壁面を押圧するのに十分な長さを有することを特徴とするダウンライト支持装置。
【請求項２】
前記弾性シートの後段と対応の中段の後尾部の接線とは挟み角が形成され、前記挟み角の大きさ、及び、前記弾性シートの後段の長さは前記弾性シートの後段の外面を前記収容孔の内壁面に均整に押圧可能であることを特徴とする請求項1記載のダウンライト支持装置。
【請求項３】
前記弾性シートの後段の外面に粗面が設けられていることを特徴とする請求項２記載のダウンライト支持装置。
【請求項４】
前記弾性シートに第２シートが設けられ、前記第２シートはプレス加工により前記弾性シートと一体化成形して、前記ランプハウジングの側壁に延在することを特徴とする請求項２または３記載のダウンライト支持装置。
【請求項５】
前記弾性シートの中段の後尾部の接線は、前記ランプハウジングの側壁ともう一つの挟み角を形成することを特徴とする請求項４記載のダウンライト支持装置。
【考案の詳細な説明】
【技術分野】
【０００１】
本考案はダウンライト支持装置に関する。
【背景技術】
【０００２】
図１に示す従来のダウンライト装置１０は天井に取り付けられるため、天井灯ともいわれる。ダウンライト装置１０は主にランプハウジング１１を含み、ランプハウジング１１の底部に開口部１１１を有し収容空間１１２が内設されている。収容空間１１２は電球１２の取付けに備える。ランプハウジング１１底部の周縁は水平方向に沿って外部に屈折して、ランプハウジング１１底部の周縁に環状の円形フレーム１１３を形成する。ランプハウジング１１上側の側壁に２つの枢接台１１４が釣り合って設けられ、各枢接台１１４にはねじりばね１３が装入されている。各ねじりばね１３の一端は枢接台１１４をくぐらしてランプハウジング１１上側の内面に固設され、他端が外力を受けていない状態において、ねじりばね１３自らの応力により、ねじりばね１３の遠端方向にねじれる。これにより、使用者は従来のダウンライト装置１０を天井１４で穿鑿された収容孔１４１に取り付けるときに、まずねじりばね１３の他端をねじり、ねじりばね１３の他端をねじりばね１３一端の方向に接近させた上、使用者がランプハウジング１１の上側を天井１４の収容孔１４１に取り付けて、ねじりばね１３のねじれを解放する。これにより、ねじりばね１３は自らの応力により、ねじりばね１３の他端がねじりばね１３の遠端方向にねじれて、天井１４の上側に圧迫とともに、ダウンライト装置１０に上方向の支持力量を発生し、ダウンライト装置１０はこの支持力によって、収容孔１４１に固定させ、かつ環状の円形フレーム１１３によって収容孔１４１とランプハウジング１１側壁との間の隙間を遮る。
【０００３】
図２に示す従来のダウンライト装置６０は、ダウンライトハウジング６１と、固定ブラケット６２とを含む。そのうち、ダウンライトハウジング６１の側面に貫通孔６１１が設けられ収容空間６１２を内設し、光源構成品６３を側面からの装入に備える。ダウンライトハウジング６１底部の周縁は水平方向に沿って外部に屈折して、ダウンライトハウジング６１底部の周縁に環状の円形フレーム６１３を形成する。固定ブラケット６２はねじ６２１によってダウンライトハウジング６１の上側に締め付けられている。固定ブラケット６２の両端部にメニスカス状の挿入シート６４が釣り合って設けられ、メニスカス状の挿入シート６４の両端部はダウンライトハウジング６１の遠端方向に屈折し、かつ多数のラグ６４１が釣り合って設けられている。これにより、使用者がダウンライト装置６０を天井に穿鑿された収容孔（図示せず、図に示す天井１４の収容孔１４１に同じ）に取り付けるときは、ダウンライトハウジング６１の上側を天井の収容孔に直接に取付け、メニスカス状の挿入シート６４の両端部に備えるラグ６４１によって収容孔の内壁面に組み込み、ダウンライト装置６０はメニスカス状の挿入シート６４によって、収容孔の組み込みにより収容孔に固定し、環状の円形フレーム６１３によって収容孔とダウンライトハウジング６１との間の側壁の隙間を遮る。
【考案の概要】
【考案が解決しようとする課題】
【０００４】
しかし、図１に示すダウンライト装置１０はいったん収容孔１４１に取り付けられた後、ねじりばね１３の他端は応力影響によってねじれて天井１４の上側に圧迫し環状の円形フレーム１１３とそれぞれ天井１４の両端部を挟み込む。このため、使用者はダウンライト装置１０を天井１４から取り外すときは、まず各ねじりばね１３の他端をねじり、ねじりばね１３一端の方向に接近させた、ねじりばね１３のダウンライト装置１０に対する支持力量を解除した上、ダウンライト装置１０を収容孔１４１より取り出すことができる。しかし、ねじりばね１３は天井１４によって仕切られているため、使用者の手はねじりばね１３に届くことができないため、ダウンライト装置１０を容易に取り外せない。よって、使用者はダウンライト装置１０の収容孔１４１に露出された部分（すなわち、環状の円形フレーム１１３）を引っ張ってねじりばね１３に下向きの力量を加え、ねじりばね１３の他端が天井１４からの反力により上向きにねじらなければ、ねじりばね１３のダウンライト装置１０に対する支持力量を解除してダウンライト装置１０を収容孔１４１より取り外すことができない。しかし、このやり方では往々に天井１４に備える収容孔１４１の全体装置が破壊され、撤去現場に大量な木屑と粉塵が残される。さらに、ねじりばね１３の他端が収容孔１４１の内壁面を離す瞬間にねじりばね１３で蓄積された応力が放出され、ねじりばね１３の他端がねじりばね１３の遠端方向に急回転し使用者の指または手首を挟み怪我する恐れがある。前記から、従来のダウンライト装置１０は取付けと取り外しに時間が掛かるほか、取り外し作業のときに使用者の指部または手首を挟み怪我させることと、天井１４に穿鑿された収容孔１４１に対して修復不可の破壊を与える恐れがある。さらに、繰返使用ができない欠点を有するため、使用者に敬遠される。
【０００５】
また、使用者は図２に示すダウンライト装置６０を天井より取り外すときには、図１に示すダウンライト装置１０と同じ問題に遭遇される。メニスカス状の挿入シート６４に備えるラグ６４１によって、収容孔の内壁面と互いに組み込まれている。メニスカス状の挿入シート６４の弾性が弱いため、ダウンライト装置６０をうまく取り外すことができない。使用者はダウンライト装置６０を取り外すときに、ダウンライト装置６０が収容孔外部に露出された部分、すなわち、環状の円形フレーム６１３を引っ張り、ダウンライト装置６０に下向きの力量を加え、かつ収容孔の内壁面を破壊しなければ、メニスカス状の挿入シート６４と収容孔の内壁面との組み込み装置を解除することができない。このやり方では天井の収容孔の装置を壊され、収容孔に他のダウンライトを取り付けることができないばかりでなく、取り外し現場に大量な木屑と粉塵を残し、ダウンライト装置６０の使用者に多大な不便を掛ける。
【０００６】
さらに、ダウンライト装置６０はメニスカス状の挿入シート６４の屈折状の両端部によって、収容孔の内壁面と互いに組み込んで収容孔に固定されているため、ダウンライト装置６０底部の環状の円形フレーム６１３はメニスカス状の挿入シート６４の装置、すなわち、環状の矩形や、環状の波形その他環状装置ではなく、環状の円形に限定される。よって、ダウンライト装置６０は矩形その形状の収容孔のみ、円形の収容孔しか取り付けることができない。ダウンライト装置６０の適用範囲が限られて、広く運用することができない。
よって、斬新なダウンライト支持装置を設計し、前記従来のダウンライト装置の種々問題が解決され、ダウンライト支持装置に設けられた多数の弾性シートによって収容孔の内壁面に押圧し形成された摩擦力により、収容孔へ安定に固定され、かつ従来のダウンライト装置の取り外し不便利の欠点を克服し、使用者に快速、かつ安全な取付けと取り外し可能なダウンライト支持装置を提供することは、本考案の重要な研究課題である。
本考案人は前述の問題と欠点について、長年の実務経験と研究実験を重ねた結果、本考案のダウンライト支持装置を考案した。本考案の目的は、使用者に快速、かつ安全な取付けと取外し可能なダウンライト支持装置を提供することにある。
【課題を解決するための手段】
【０００７】
本考案ダウンライト支持装置は、主にランプハウジングと、少なくとも２つの弾性シートとを含む。ランプハウジングの底部に開口部が設けられ収容空間を内設する。収容空間は発光素子（発光素子は発光ダイオード電球、白熱電球、蛍光灯球その他発光電球である）の取付けに備える。ランプハウジングに備える開口部の周縁の付近部は径方向に延在して、ランプハウジング底部の周縁に環状の円形フレーム（環状は矩形、円形、環状波浪形その他環状装置体という）を形成する。弾性シートは弾性の金属シートを屈折して構成する。弾性シートの前段はランプハウジングの側壁に釣り合って固設（弾性シートの前段は鋲着または螺着等の方式によってランプハウジングの側壁に固着）する。弾性シートの中段は環状フレーム体の周縁に延在し、かつ中段後尾部の接線はランプハウジングの側壁と第１挟み角を形成する。弾性シートの後段は対応の中段の後尾部の接線と第２挟み角を形成する。そのうち、第１挟み角の大きさと弾性シートの中段の長さは、ランプハウジングの側壁が天井に穿鑿された収容孔を通して天井の上側に収容でき、かつ環状フレームの上側が天井の底部側にあてがうとともに弾性シートの後段を収容孔の内壁面に押圧し、弾性シート後段の外表面に粗面（粗面の形状は千鳥状、顆粒状または波状等）を設ける。第２挟み角の大きさおよび弾性シート後段の長さは弾性シート後段の外表面を収容孔の内壁面に均整に押圧、粗面と収容孔の内壁面との間に摩擦力を形成され、この摩擦力によってダウンライト支持装置の重量を克服しダウンライト支持装置を収容孔へ安定に固定させる。これにより、使用者はランプハウジング取り付ける各弾性シートの後段を圧迫し弾性シートの弾性力と対向し弾性シートの前後段を互いに接近させることができる。このとき、使用者はランプハウジングの上側を天井の収容孔に取付けた上、弾性シートの押圧を解除できる。従って、弾性シート自らの応力影響により、弾性シートの後段に設けられた粗面をランプハウジング側壁の遠端方向に移動させ、収容孔の内壁面に押圧する。収容孔の内壁面とランプハウジング側壁との間に水平方向の張力を形成する一方、ダウンライト支持装置は粗面と収容孔内壁面の摩擦力によって収容孔に安定に固定され、かつ環状フレームによって収容孔とランプハウジング側壁との間の隙間を遮る。本考案によれば、他の締め付け部材を追加設置することなく、ランプハウジングの側壁に多数の屈折状の弾性シートを設けるだけで、本考案のダウンライト支持装置を天井の収容孔に脱着することができる。
【考案の効果】
【０００８】
従来のダウンライト装置による脱着不便の欠点を克服し、快速、かつ安全に脱着可能なダウンライト支持装置を使用者に提供できる。
【図面の簡単な説明】
【０００９】
【図１】従来のダウンライトの断面図である。
【図２】従来のダウンライトの斜視図である。
【図３】本考案の第１実施形態のダウンライト支持装置の断面図である。
【図４】本考案の第１実施形態のダウンライト支持装置の部分拡大図である。
【図５】本考案の第１実施形態のダウンライト支持装置の断面図である。
【図６】本考案の第２実施形態のダウンライト支持装置の断面図である。
【図７】本考案の第３実施形態のダウンライト支持装置の断面図である。
【図８】本考案の第３実施形態のダウンライト支持装置の断面図である。
【考案を実施するための形態】
【００１０】
以下、本考案の実施形態を図３〜図８に基づいて説明する。
（第１実施形態）
【００１１】
本考案の第１実施形態に係るダウンライト支持装置を図３〜図５に示す。図３と４に示す通り、本考案の第１実施形態において、ダウンライト支持装置２０はランプハウジング２１と、少なくとも２つの弾性シート２２を含む。ランプハウジング２１の底部に開口部２１１が設けられ、収容空間１２を内設する。収容空間２１２は発光素子２３の取付けに備える。発光素子２３は発光ダイオード電球、白熱電球、蛍光灯電球その他電球である。ランプハウジング２１は開口部２１１の周縁は径方向に沿って延在して、ランプハウジング２１底部の周縁に環状フレーム２１３を形成する。弾性シート２２は弾性の金属シートを屈折して構成する。弾性シート２２の前段はランプハウジングの２１の側壁に釣り合って固着する。本実施形態において、弾性シート２２の前段はねじ２２２によってランプハウジング２１の側壁に締め付けられている。しかし、本考案その他の実施形態において、弾性シート２２の前段は鋲着、接着、または溶接等の方式により、ランプハウジング２１の側壁に固着することができ、螺着方式の限りでない。各弾性シート２２の中段は環状フレーム２１３の周縁に向かって延在し、かつ後尾部は延在して弾性シート２２の後段となる。中段の後尾部の接線とランプハウジング２１の側壁と第１挟み角を形成する。本実施形態において、第１挟み角は１９度である。弾性シート２２の後段は対応の中段の後尾部の接線と第２挟み角を形成する。本実施形態において、第２挟み角は８度である。
【００１２】
引き続き図４と５を参照する。本考案の第１実施形態において、第１挟み角の大きさと弾性シート２２中段の長さはランプハウジング２１の側壁を天井２４に穿鑿された収容孔２４１を通して天井２４の上側に収容させ、かつ環状フレーム２１３の上側によって、天井２４の底側に圧迫させ各弾性シート２２の後段を収容孔２４１の内壁面２４２に押圧する。すなわち、第１挟み角の大きさと各弾性シート２２中段の長さとも天井２４の厚みと容置孔２４１の孔径と互いに調合されている。もし、第１挟み角または弾性シート２２中段の長さのいずれが長すぎる場合、弾性シート２２の中段はランプハウジング２１の収容孔２４１に進入する進路を妨げる。逆に、もし、第１挟み角または弾性シート２２中段の長さのいずれが短すぎる場合、収容孔２４１とランプハウジング２１側壁との間の隙間が大きすぎて粉塵が体積される。各弾性シート２２後段の外面に粗面２２１が設けられている。本実施形態において、粗面２２１は波状である。しかし、本考案その他実施形態において、粗面２２１は波状に限らず、ジグザグ状、顆粒状その他規則または不規則の突起状であっても良い。各弾性シート２２自体に十分な弾性応力があれば、弾性シート２後段の外面に粗面２２１を設けなくても、収容孔２４１の内部に押圧できるため、粗面２２１は本実施形態において、必需な素子ではない。
【００１３】
前述に続き、図４と５を参照する。第２挟み角の大きさと各弾性シート２２後段の長さは弾性シート２２後段の外面とも収容孔２４１の内壁面２４２へ均整に押圧され、粗面２２１と収容孔２４１の内壁面２４２に摩擦力が形成される。この摩擦力はダウンライト支持装置２０の重量を克服しダウンライト支持装置２０を収容孔２４１に安定に収容できる。すなわち、第２挟み角の大きさと各弾性シート２２後段の長さは天井２４の厚みおよび収容孔２４１の孔径と互いに調合しなければならない。もし、第２挟み角の過大または過少、あるいは弾性シート２２後段の長さが短すぎる場合、弾性シート２２後段の粗面２２１と収容孔２４１の内壁面２４２との接触面積に不足を発生され、粗面２２１と収容孔２４１の内壁面２４２に発生する摩擦力はダウンライト支持装置２０の重量を克服できなく、ダウンライト支持装置２０が脱落する恐れがある。
【００１４】
図３と５を参照する。使用者はダウンライト支持装置２０を収容孔２４１に取り付けるときは、ランプハウジング２１に備える各弾性シート２２の後段を押さえて弾性シート２２の弾力に抵抗することにより弾性シート２２の前後段を互いに接近させる。このとき、使用者はランプハウジング２１の上側を天井２４の収容孔２４１に取り付けて、弾性シート２２に対する圧迫を解除できる。これによって、弾性シート２２自身の応力により弾性シート２２後段に設けられた粗面２２１によってランプハウジング２１側壁を離れる方向に移動させ、収容孔２４１の内壁面２４２に押圧され収容孔２４１の内壁面２４２はランプハウジング２１の側壁の間に水平方向の張力を発生し、ダウンライト支持装置２０は粗面２２１によって収容孔２４１の内壁面２４２の摩擦力と合わせて収容孔２４１に安定に固定され、環状フレーム２１３によって収容孔２４１とランプハウジング２１側壁の間の隙間を遮る。本考案によれば、他の締め付け部材（たとえば、ねじまたは嵌着部材）を追加設置する必要はなく、ランプハウジング２１の側壁に多数の屈折状の弾性シート２２は使用者に本考案のダウンライト支持装置２０を天井２４の収容孔２４１に取付け、または収容孔２４１より取り出すことができる。このように、本考案のダウンライト支持装置２０を適用すれば、従来のダウンライト装置による脱着不便の欠点を克服でき、快速、かつ安全なダウンライト支持装置２０の脱着降下を使用者に提供できる。
【００１５】
前述に引き続き、本実施形態において、ランプハウジング２１底部の周縁に環状の円形フレーム２１３が設けられ、環状フレーム２１３の形状は円形の環状である。しかし、本考案その他実施形態において、環状フレーム２１３は矩形の環状、波形の環状その他の環状形状であっても良い。ランプハウジング２１底部の周縁に繞設され、かつ収容孔２４１とランプハウジング２１側壁の間の隙間を遮ることのできる環状フレーム２１３の形状は、すべて本考案の環状フレーム２１３の形状に使用できる。
【００１６】
（第２実施形態）
本考案の第２実施形態を図６に基づいて説明する。弾性シート３２は弾性の金属シートを屈折して構成する。弾性シート３２の前段はランプハウジング３１の側壁に固設され、弾性シート３２の中段は環状フレーム３１３の周縁に向かって延在し、かつ後尾部を延在して各弾性シート３２の後段を形成する。各中段の後尾部の接線はランプハウジング３１の側壁と第１挟み角を形成し、弾性シート３２の後段は対応の中段の後尾部の接線と第２挟み角を形成する。このほか、弾性シート３２の中段はさらに第２シート３２３が設けられており、第２シート３２３はプレス加工により弾性シート３２と一体化成形してランプハウジング３１の側壁に延在する。これにより、使用者はランプハウジング３１の各弾性シート３２の後段を圧迫することにより、弾性シート３２の前後段を互いに接近させ第２シート３２３の一端はランプハウジング３１の側壁に圧迫して、ランプハウジング３１の側壁に沿って摺動される。第２シート３２３は自らの応力により弾性シート３２に反力を加える。使用者がランプハウジング３１の上側を天井３４の収容孔３４１に取り付けて、弾性シート３２に対する圧迫を解除すると、弾性シート３２は自らの応力のほか、第２シート３２３から伝ってくる反力によって、ランプハウジング３１側壁と収容孔３４１の内壁面３４２に形成された水平方向の張力を受けて、弾性シート３２後段の外面は収容孔３４１内壁面３４２をより安定、かつ強く圧迫し、ダウンライト支持装置３０を天井３４の収容孔３４１に確実に取り付ける効果を実現する。
【００１７】
（第３実施形態）
本考案の第３実施形態を図７及び図８に基づいて説明する。弾性シート４２は弾性の金属シートを屈折して構成する。弾性シート４２の前段はランプハウジング４１の側壁に鋲着し弾性シート４２の中段は環状フレーム４１３の周縁に延在し後尾部は延在して各弾性シート４２の後段を形成する。弾性シート４２の後段は対応の中段の後尾部の接線と挟み角を形成する。本実施形態において、挟み角は５０度である。これにより、図７と８に示す通り、使用者はランプハウジング４１に備える各弾性シート４２の後段を圧迫することにより、弾性シート４２の前後段を互いに接近させる。引き続き、ランプハウジング４１の上側を天井４４の収容孔４４１に取り付けた上、弾性シート４２に対する圧迫を解除する。これにより、弾性シート４２は自らの応力により、弾性シート４２後段の外面をランプハウジング４１側壁の方向に移動して収容孔４４１の内壁面４４２に圧迫する。ダウンライト支持装置４０は弾性シート４２後段の外面と収容孔４４１の内壁面４４２との摩擦力により、収容孔４４１に安定に固定させ、環状フレーム４１３を収容孔４４１とランプハウジング４１側壁の間の隙間を遮る。
【００１８】
前述の実施形態において、第１挟み角と第２挟み角の角度、弾性シートの形状、粗面の形状等で使用された語彙ならびに説明は、本考案の好ましい実施形態の説明を目的とし、本考案になんらの制限を加わるものではない。よって、本考案の分野を熟知する者が、本考案の主旨及び範囲を逸脱せずに行う各種の改良又は変更は、本考案の実用新案登録請求の範囲に含まれるものとする。
【符号の説明】
【００１９】
２０、３０、４０      ・・・ダウンライト支持装置、
２１、３１、４１      ・・・ランプハウジング、
２２、３２、４２      ・・・弾性シート、
２３                  ・・・発光素子、
２４、３４、４４      ・・・天井、
２１１                ・・・開口部、
２１２                ・・・収容空間、
２１３、３１３、４１３・・・環状フレーム、
２２１                ・・・粗面、
２２２                ・・・ねじ、
３２３                ・・・第２シート、
２４１、３４１、４４１・・・収容孔
２４２、３４２、４４２・・・内壁面。
【図１】
0003160426.tif 000003
【図２】
0003160426.tif 000004
【図３】
0003160426.tif 000005
【図４】
0003160426.tif 000006
【図５】
0003160426.tif 000007
【図６】
0003160426.tif 000008
【図７】
0003160426.tif 000009
【図８】
0003160426.tif 000010